(57)【特許請求の範囲】
【請求項１】
巡回シフトに関するＮ個のパラメータ（Ｎは８以上の偶数）のうちのいずれかに対応する巡回シフトを基本系列に施すことにより、サウンディング・リファレンス・シグナル（ＳＲＳ）系列を生成する参照信号生成部と、
前記巡回シフトに関するパラメータと、複数のアンテナポートのいずれかを示すアンテナポート識別番号とから、１つ以上の周波数リソースを特定し、前記特定された１つ以上の周波数リソースに前記ＳＲＳ系列をマッピングし、前記巡回シフトに関するパラメータが０から（Ｎ／２）−１の場合において各アンテナポート識別番号に対応する周波数リソースを定義する第１の対応関係は、前記巡回シフトに関するパラメータが（Ｎ／２）からＮ−１の場合において各アンテナポート識別番号に対応する周波数リソースを定義する第２の対応関係とは異なる、マッピング部と、
前記複数のアンテナポートから、前記マッピングされたＳＲＳ系列を送信する送信部と、
を具備し、
前記第１の対応関係では、前記複数のアンテナポート間で共通の１つの周波数リソースのみが定義され、前記第２の対応関係では、複数の周波数リソースが定義される、
通信装置。
【請求項２】
前記第１の対応関係で定義される前記１つの周波数リソースは、前記第２の対応関係で定義される前記複数の周波数リソースのうち、偶数のアンテナポート識別番号に対応する周波数リソースと同じである、
請求項１に記載の通信装置。
【請求項３】
前記第２の対応関係では、奇数のアンテナポート識別番号に対応する周波数リソースは、偶数のアンテナポート識別番号に対応する周波数リソースとは異なる、
請求項１または２に記載の通信装置。
【請求項４】
前記巡回シフトに関するパラメータの数Ｎは８であり、前記ＳＲＳ系列の送信に用いられるアンテナポートの数は４である、
請求項１から３のいずれか一項に記載の通信装置。
【請求項５】
前記１つ以上の周波数リソースの各々は、櫛（Ｃｏｍｂ）状のサブキャリアグループである、
請求項１から４のいずれか一項に記載の通信装置。
【請求項６】
巡回シフトに関するＮ個のパラメータ（Ｎは８以上の偶数）のうちのいずれかに対応する巡回シフトを基本系列に施すことにより、サウンディング・リファレンス・シグナル（ＳＲＳ）系列を生成し、
前記巡回シフトに関するパラメータと、複数のアンテナポートのいずれかを示すアンテナポート識別番号とから、１つ以上の周波数リソースを特定し、前記特定された１つ以上の周波数リソースに前記ＳＲＳ系列をマッピングし、前記巡回シフトに関するパラメータが０から（Ｎ／２）−１の場合において各アンテナポート識別番号に対応する周波数リソースを定義する第１の対応関係は、前記巡回シフトに関するパラメータが（Ｎ／２）からＮ−１の場合において各アンテナポート識別番号に対応する周波数リソースを定義する第２の対応関係とは異なり、
前記複数のアンテナポートから、前記マッピングされたＳＲＳ系列を送信し、
前記第１の対応関係では、前記複数のアンテナポート間で共通の１つの周波数リソースのみが定義され、前記第２の対応関係では、複数の周波数リソースが定義される、
通信方法。
【請求項７】
前記第１の対応関係で定義される前記１つの周波数リソースは、前記第２の対応関係で定義される前記複数の周波数リソースのうち、偶数のアンテナポート識別番号に対応する周波数リソースと同じである、
請求項６に記載の通信方法。
【請求項８】
前記第２の対応関係では、奇数のアンテナポート識別番号に対応する周波数リソースは、偶数のアンテナポート識別番号に対応する周波数リソースとは異なる、
請求項６または７に記載の通信方法。
【請求項９】
前記巡回シフトに関するパラメータの数Ｎは８であり、前記ＳＲＳ系列の送信に用いられるアンテナポートの数は４である、
請求項６から８のいずれか一項に記載の通信方法。
【請求項１０】
前記１つ以上の周波数リソースの各々は、櫛（Ｃｏｍｂ）状のサブキャリアグループである、
請求項６から９のいずれか一項に記載の通信方法。
【請求項１１】
巡回シフトに関するＮ個のパラメータ（Ｎは８以上の偶数）のうちのいずれかに対応する巡回シフトを基本系列に施すことにより、サウンディング・リファレンス・シグナル（ＳＲＳ）系列を生成する処理と、
前記巡回シフトに関するパラメータと、複数のアンテナポートのいずれかを示すアンテナポート識別番号とから、１つ以上の周波数リソースを特定し、前記特定された１つ以上の周波数リソースに前記ＳＲＳ系列をマッピングし、前記巡回シフトに関するパラメータが０から（Ｎ／２）−１の場合において各アンテナポート識別番号に対応する周波数リソースを定義する第１の対応関係は、前記巡回シフトに関するパラメータが（Ｎ／２）からＮ−１の場合において各アンテナポート識別番号に対応する周波数リソースを定義する第２の対応関係とは異なる、処理と、
前記複数のアンテナポートから、前記マッピングされたＳＲＳ系列を送信する処理と、
を制御し、
前記第１の対応関係では、前記複数のアンテナポート間で共通の１つの周波数リソースのみが定義され、前記第２の対応関係では、複数の周波数リソースが定義される、
集積回路。
【発明の詳細な説明】
【技術分野】
【０００１】
本発明は、通信装置、通信方法、及び集積回路に関する。
【背景技術】
【０００２】
3GPP LTE(3rd Generation Partnership Project Long-term Evolution、以降、単に「LTE」と呼ぶ)、及び、LTE-Advanced(以降、単に「LTE-A」と呼ぶ)では、上り回線受信品質を測定するためのリファレンス信号として、Sounding Reference signal(SRS)が用いられる（非特許文献１参照）。具体的には、SRSには、P-SRS(Periodic SRS)と、DA-SRS(Dynamic Aperiodic SRS)とがある。いずれも基地局から端末へ送信されるトリガー情報によってSRSの送信タイミングが制御される。ただし、P-SRSは、上位レイヤによって制御されるのに対して、DA-SRSは、物理層の制御チャネル（つまり、PDCCH）によって制御される。
【０００３】
SRSを端末から基地局へ送信するために、全端末共通のSRSリソース（以下、「共通リソース」と呼ぶ）が設定される。この共通リソースは、セル単位で通知される。例えば、共通リソースが１、３、８サブフレームであることが制御情報によって通知されると、セル内の全端末は、１、３、８サブフレームのそれぞれにおける所定期間（詳細には、最終シンボル）において、データ信号の送信を取り止めるとともに、その期間をリファレンス信号の送信リソースとして用いる。
【０００４】
また、上記した、共通リソース内で各端末に対して実際に割り当てられるリソースに関する情報（つまり、リソースの特定に用いられるパラメータ）には、先頭サブフレーム、設定帯域、送信帯域幅、SRSがマッピングされるフレーム間隔、送信時間などが含まれる。この情報が、端末単位で物理層よりも上位レイヤによって通知される。
【０００５】
また、SRSは、各端末において直交系列によってスクランブルされて送信される。また、LTE-Aにおいて導入されるMIMO通信を行う端末においては、各アンテナポートから送信されるSRSが、直交系列によってスクランブルされて送信される。すなわち、複数の端末又はMIMO通信を行う端末から送信されるSRSは、符号分割によって多重されて送信される。
【０００６】
ここで、直交系列としては、巡回シフト系列（CS系列）が使用される。詳細には、端末は、基地局から通知された巡回シフト量0〜7（つまり、3bitで通知される）の内のいずれかに対応する巡回シフトを、ZC(Zadoff Chu)系列で生成した基本系列に対して施すことにより、端末自身が使用する送信系列を生成する。具体的には、端末は、基本系列に対して、基地局から通知された巡回シフト量×シンボル長／１６（ｍｓ）だけ巡回シフトを施す。図１は、基本系列が１／４シンボルだけ巡回シフトされる様子が示されている。なお、LTE及びLTE-Aの上り回線では、SRSは、１サブキャリア置きに配置される。また、LTE及びLTE-Aの上り回線では、１シンボル内で同一波形が２回繰り返される。このため、(8〜15)×シンボル長／１６（ｍｓ）の巡回シフトによって得られる波形と、(0〜7)×シンボル長／１６（ｍｓ）の巡回シフトによって得られる波形は、同一となる。
【０００７】
ところで、１つの端末の複数のアンテナからSRSを送信する場合（つまり、MIMO通信の場合）、全てのアンテナにおける巡回シフト量を基地局が端末に対して通知すると、シグナリング量が大変多くなってしまう。この様な問題を解決する巡回シフト量の通知方法としては、例えば、非特許文献２に開示されている方法がある。この方法では、基地局と端末とは、１番目のアンテナポートに対する巡回シフト量からの、２番目のアンテナポート、３番目のアンテナポート、及び４番目のアンテナポートのそれぞれに対する巡回シフト量のオフセット値についてのオフセットパターン（以下では、単に「オフセットパターン」と呼ぶ）を共有する。ここでのオフセットパターンは固定である。この共有状態において、基地局が端末に対して１番目のアンテナポートの巡回シフト量(CS0)を3ビットで通知する。これにより、端末は、通知された１番目のアンテナポートの巡回シフト量(CS0)から、２番目のアンテナポート、３番目のアンテナポート、及び４番目のアンテナポートのそれぞれに対する巡回シフト量を求めることができる。すなわち、CSi ＝ CS0 + k mod 8によって、i番目のアンテナポートの巡回シフト量を求めることができる。ここで、iは、アンテナポート識別番号（０〜３）であり、ｋは、識別番号０のアンテナポートの巡回シフト量に対する識別番号iのアンテナポートのオフセット値である。
【０００８】
図２には、識別番号０のアンテナポートの８つの巡回シフト量候補のそれぞれに関して、４つのアンテナポート識別番号と、各アンテナポート識別番号に対応する巡回シフト量とが対応付けられた対応テーブルの一例が示されている。
【０００９】
図２を見てわかるように、４アンテナポートの場合（つまり、４アンテナMIMO送信の場合）には、オフセットパターンは、“０，４，２，６”（for i=0, 1, 2, 3）となる。また、２アンテナポートの場合（つまり、２アンテナMIMO送信の場合）には、オフセットパターンは、“０，４”（for i=0, 1）となる。ここで、図２において、アンテナポート10は、１つのアンテナポートを使用する場合の１番目のアンテナポートを意味する。また、アンテナポート20、21は、２つのアンテナポートを使用する場合の１番目、２番目のアンテナポートを意味する。また、アンテナポート40、41、42、43は、４つのアンテナポートを使用する場合の１番目、２番目、３番目、４番目のアンテナポートを意味する。このようなオフセットパターンを用いることにより、アンテナポート間でCS間隔が最大となり、２つのアンテナポートからSRSが送信される場合、又は、４つのアンテナポートからSRSが送信される場合において、SRSの分離精度が最も高くなる。また、４アンテナポートの場合のオフセットパターンの最初の２つの要素と、２アンテナポートの場合のオフセットパターンとを一致させることにより、４アンテナポートの場合と２アンテナポートの場合とで共通の対応テーブルを用いることができる。なお、１アンテナポートの場合と、２アンテナポート、４アンテナポートの場合とで共通の対応テーブルを用いてもよい。
【先行技術文献】
【非特許文献】
【００１０】
【非特許文献１】TS36.211 v8.9.0 “3GPP TSG RAN; Evolved Universal Terrestrial Radio Access  (E-UTRA); Physical Channels and Modulation”
【非特許文献２】R1-106007 (Mediatek Inc) Details on Aperiodic SRS
【発明の概要】
【発明が解決しようとする課題】
【００１１】
しかしながら、上記のように、オフセットパターン“０，４，２，６”を固定的に用いると、２アンテナポートの場合には4CS間隔を持つ２つのCSが空いていないと２つのアンテナポートに対してCSを割り当てることができず、また、４アンテナポートの場合には、2CSずつ間隔がおかれた４つのCSに空きがないと４つのアンテナポートに対してCSを割り当てることができない。すなわち、SRSに対するリソース割当の柔軟性が低い問題がある。具体的には、４アンテナポートを使用する場合には、巡回シフト量「0, 2, 4, 6」の全て、または、「1, 3, 5, 7」の全てが、未使用である必要がある。例えば、巡回シフト量「0」が既に使用されている状態で、４アンテナポートで巡回シフト量「0, 2, 4, 6」をさらに使用すると、２つの端末から巡回シフト量「0」が同時に送信されることになり、基地局はそれらを分離することができない。
【００１２】
本発明の目的は、巡回シフト量の通知のためのシグナリング量を増加させることなく、SRSリソース割当の柔軟性を向上する通信装置、通信方法、及び集積回路を提供することである。
【課題を解決するための手段】
【００１３】
本発明の一態様の通信装置は、巡回シフトに関するＮ個のパラメータ（Ｎは８以上の偶数）のうちのいずれかに対応する巡回シフトを基本系列に施すことにより、サウンディング・リファレンス・シグナル（ＳＲＳ）系列を生成する参照信号生成部と、前記巡回シフトに関するパラメータと、複数のアンテナポートのいずれかを示すアンテナポート識別番号とから、１つ以上の周波数リソースを特定し、前記特定された１つ以上の周波数リソースに前記ＳＲＳ系列をマッピングし、前記巡回シフトに関するパラメータが０から（Ｎ／２）−１の場合において各アンテナポート識別番号に対応する周波数リソースを定義する第１の対応関係は、前記巡回シフトに関するパラメータが（Ｎ／２）からＮ−１の場合において各アンテナポート識別番号に対応する周波数リソースを定義する第２の対応関係とは異なる、マッピング部と、前記複数のアンテナポートから、前記マッピングされたＳＲＳ系列を送信する送信部と、を具備し、前記第１の対応関係では、前記複数のアンテナポート間で共通の１つの周波数リソースのみが定義され、前記第２の対応関係では、複数の周波数リソースが定義される。
【００１４】
本発明の一態様の通信方法は、巡回シフトに関するＮ個のパラメータ（Ｎは８以上の偶数）のうちのいずれかに対応する巡回シフトを基本系列に施すことにより、サウンディング・リファレンス・シグナル（ＳＲＳ）系列を生成し、前記巡回シフトに関するパラメータと、複数のアンテナポートのいずれかを示すアンテナポート識別番号とから、１つ以上の周波数リソースを特定し、前記特定された１つ以上の周波数リソースに前記ＳＲＳ系列をマッピングし、前記巡回シフトに関するパラメータが０から（Ｎ／２）−１の場合において各アンテナポート識別番号に対応する周波数リソースを定義する第１の対応関係は、前記巡回シフトに関するパラメータが（Ｎ／２）からＮ−１の場合において各アンテナポート識別番号に対応する周波数リソースを定義する第２の対応関係とは異なり、前記複数のアンテナポートから、前記マッピングされたＳＲＳ系列を送信し、前記第１の対応関係では、前記複数のアンテナポート間で共通の１つの周波数リソースのみが定義され、前記第２の対応関係では、複数の周波数リソースが定義される。
【００１５】
本発明の一態様の集積回路は、巡回シフトに関するＮ個のパラメータ（Ｎは８以上の偶数）のうちのいずれかに対応する巡回シフトを基本系列に施すことにより、サウンディング・リファレンス・シグナル（ＳＲＳ）系列を生成する処理と、前記巡回シフトに関するパラメータと、複数のアンテナポートのいずれかを示すアンテナポート識別番号とから、１つ以上の周波数リソースを特定し、前記特定された１つ以上の周波数リソースに前記ＳＲＳ系列をマッピングし、前記巡回シフトに関するパラメータが０から（Ｎ／２）−１の場合において各アンテナポート識別番号に対応する周波数リソースを定義する第１の対応関係は、前記巡回シフトに関するパラメータが（Ｎ／２）からＮ−１の場合において各アンテナポート識別番号に対応する周波数リソースを定義する第２の対応関係とは異なる、処理と、前記複数のアンテナポートから、前記マッピングされたＳＲＳ系列を送信する処理と、を制御し、前記第１の対応関係では、前記複数のアンテナポート間で共通の１つの周波数リソースのみが定義され、前記第２の対応関係では、複数の周波数リソースが定義される。
【発明の効果】
【００１６】
本発明によれば、巡回シフト量の通知のためのシグナリング量を増加させることなく、SRSリソース割当の柔軟性を向上する通信装置、通信方法、及び集積回路を提供することができる。
【図面の簡単な説明】
【００１７】
【図１】基本系列が１／４シンボルだけ巡回シフトされる様子を示す図
【図２】識別番号０のアンテナポートの８つの巡回シフト量候補のそれぞれに関して、４つのアンテナポート識別番号と、各アンテナポート識別番号に対応する巡回シフト量とが対応付けられた対応テーブルの一例を示す図
【図３】本発明の実施の形態１に係る基地局の主要構成図
【図４】本発明の実施の形態１に係る端末の主要構成図
【図５】本発明の実施の形態１に係る基地局の構成を示すブロック図
【図６】本発明の実施の形態１に係る端末の構成を示すブロック図
【図７】本発明の実施の形態１に係る符号リソース設定ルールテーブルを示す図
【図８】本発明の実施の形態２に係る符号リソース設定ルールテーブルを示す図
【図９】系列間干渉の説明に供する図
【図１０】図８の符号リソース設定ルールテーブルを用いることによる効果の説明に供する図
【図１１】本発明の実施の形態２に係る他の符号リソース設定ルールテーブルを示す図
【図１２】本発明の実施の形態３に係る符号リソース設定ルールテーブルを示す図
【図１３】本発明の実施の形態３に係る他の符号リソース設定ルールテーブルを示す図
【図１４】本発明の実施の形態４に係る符号リソース設定ルールテーブルを示す図
【図１５】２アンテナポート送信に適用されるオフセットパターンを“０，４”とする場合の説明に供する図
【図１６】本発明の実施の形態５に係る符号リソース設定ルールテーブルを示す図
【図１７】本発明の実施の形態６に係る符号リソース設定ルールテーブルを示す図
【図１８】本発明の実施の形態７に係る符号リソース設定ルールテーブルを示す図
【図１９】図２に示した従来の対応テーブルの問題の説明に供する図
【図２０】本発明の実施の形態８に係る符号周波数リソース設定ルールテーブルを示す図
【図２１】本発明の実施の形態８に係る他の符号周波数リソース設定ルールテーブルを示す図
【発明を実施するための形態】
【００１８】
以下、本発明の実施の形態について図面を参照して詳細に説明する。なお、実施の形態において、同一の構成要素には同一の符号を付し、その説明は重複するので省略する。
【００１９】
[実施の形態１]
[通信システムの概要]
本発明の実施の形態１に係る通信システムは、基地局１００と端末２００とを有する。基地局１００は、ＬＴＥ−Ａ基地局であり、端末２００は、ＬＴＥ−Ａ端末である。また、端末２００は、Ｌ（Ｌは、２以上の自然数）個のアンテナポートの少なくとも一部のそれぞれから、基本系列に巡回シフトを施すことにより得られる巡回シフト系列によってスクランブルされたリファレンス信号を送信する。そして、基地局１００は、Ｌ（Ｌは、２以上の自然数）個のアンテナポートの少なくとも一部のそれぞれから、基本系列に巡回シフトを施すことにより得られる巡回シフト系列によってスクランブルされたリファレンス信号を受信する。
【００２０】
図３は、本発明の実施の形態１に係る基地局１００の主要構成図である。基地局１００において、設定部１０１は、Ｌ（Ｌは、２以上の自然数）個のアンテナポートの内の基準アンテナポートから送信されるリファレンス信号のスクランブルに用いられる巡回シフト系列に与えられる、基準シフト量に関する設定情報を生成する。そして、生成された設定情報は、送信処理部１０４を介して端末２００へ送信される。また、受信処理部１０８は、基準シフト量が取り得る、シフト量０からＮ−１（Ｎは、８以上の偶数）を持つ基準シフト量候補群のそれぞれについて、各アンテナポートに対して巡回シフト量候補が対応付けられた対応関係と設定情報とに基づいて、各アンテナポートから送信されるリファレンス信号のスクランブルに用いる巡回シフト系列に与えられる、実シフト量を特定し、特定された実シフト量を用いて前記リファレンス信号を受信する。上記した対応関係では、シフト量Ｘ（Ｘは、０以上Ｎ／２−１以下の自然数）の基準シフト量候補に対する、各アンテナポートに対応付けられた巡回シフト量候補のオフセット値から成るオフセットパターンと、Ｘ＋Ｎ／２の基準シフト量候補に対する、各アンテナポートに対応付けられた巡回シフト量候補のオフセット値から成るオフセットパターンとが異なる。
【００２１】
図４は、本発明の実施の形態１に係る端末２００の主要構成図である。端末２００において、受信処理部２０３は、Ｌ個のアンテナポートの内の基準アンテナポートから送信されるリファレンス信号のスクランブルに用いられる巡回シフト系列に与えられる、基準シフト量に関する設定情報を受信する。そして、送信制御部２０６は、基準シフト量が取り得る、シフト量０からＮ−１（Ｎは、８以上の偶数）を持つ基準シフト量候補群のそれぞれについて、各アンテナポートに対して巡回シフト量候補が対応付けられた対応関係と前記設定情報とに基づいて、各アンテナポートから送信されるリファレンス信号のスクランブルに用いる巡回シフト系列に与えられる、実シフト量を特定する。上記した対応関係は、シフト量Ｘ（Ｘは、０以上Ｎ／２−１以下の自然数）の基準シフト量候補に対する、各アンテナポートに対応付けられた巡回シフト量候補のオフセット値から成るオフセットパターンと、Ｘ＋Ｎ／２の基準シフト量候補に対する、各アンテナポートに対応付けられた巡回シフト量候補のオフセット値から成るオフセットパターンとが異なる。そして、送信信号形成部２０７は、特定された実シフト量に基づいて形成した巡回シフト系列を乗算したリファレンス信号をマッピングする。
【００２２】
[基地局１００の構成]
図５は、本発明の実施の形態１に係る基地局１００の構成を示すブロック図である。図５において、基地局１００は、設定部１０１と、符号化・変調部１０２，１０３と、送信処理部１０４と、送信部１０５と、アンテナ１０６と、受信部１０７と、受信処理部１０８と、データ受信部１０９と、受信品質測定部１１０とを有する。
【００２３】
設定部１０１は、設定対象端末２００の「候補リソース」を設定するための「候補リソース設定情報」を生成する。この候補リソースは、設定対象端末２００がSRSをマッピングすることができるリソースである。そして、候補リソース設定情報は、「時間周波数リソース設定情報」と、「符号リソース設定情報」とに分けることができる。時間周波数リソース設定情報には、設定対象端末２００が候補リソースの設定を開始する先頭サブフレーム及び先頭周波数帯域、並びに、設定対象端末２００が使用可能な周波数帯域幅等が含まれる。また、符号リソース設定情報には、「巡回シフト量に関する情報」等が含まれる。ここで、「巡回シフト量に関する情報」とは、基準となる基準アンテナポートから送信されるSRSに対して用いられる巡回シフト系列のシフト量に関する情報である。ここでは、特に、アンテナポート識別情報がゼロであるアンテナポートについての巡回シフト量が、「巡回シフト量に関する情報」として用いられる。
【００２４】
また、設定部１０１は、設定対象端末２００に対して送信を指示するSRSが特にDA-SRSである場合には、DA-SRSの送信開始を指示するトリガー情報を生成する。なお、P-SRSである場合はP-SRSの送信開始のトリガーに関する情報は、例えば時間周波数リソース設定情報に含まれる。
【００２５】
以上のように設定部１０１によって生成された、候補リソース設定情報は、設定情報として、符号化・変調部１０２、送信処理部１０４、及び送信部１０５を介して設定対象端末２００へ送信される。また、トリガー情報も同様に、符号化・変調部１０２、送信処理部１０４、及び送信部１０５を介して設定対象端末２００へ送信される。また、設定情報及びトリガー情報は、受信処理部１０８へも出力される。
【００２６】
さらに、設定部１０１は、リソース（ＲＢ）割当情報、及び、１つまたは複数のトランスポートブロック（TB）に対するＭＣＳ情報を含む、割当制御情報を生成する。割当制御情報は、上り回線データを割り当てる上り回線リソース（例えば，ＰＵＳＣＨ（Physical Uplink Shared Channel））に関する割当制御情報、下り回線データを割り当てる下り回線リソース（例えば、ＰＤＳＣＨ（Physical Downlink Shared Channel））に関する割当制御情報で構成される。そして、上り回線リソースに関する割当制御情報は、符号化・変調部１０２および受信処理部１０８へ出力され、下り回線リソースに関する割当制御情報は、符号化・変調部１０２および送信処理部１０４へ出力される。
【００２７】
ここで、設定情報は、上位レイヤ情報として（つまり、RRCシグナリングによって）、基地局１００から端末２００へ通知される。一方、割当制御情報及びトリガー情報は、ＰＤＣＣＨ（Physical Downlink Control Channel）によって、基地局１００から端末２００へ通知される。すなわち、設定情報は通知間隔が比較的長い（つまり、比較的長い間隔で通知される）のに対して、割当制御情報及びトリガー情報は、通知間隔が短い（つまり、短い間隔で通知される）。
【００２８】
符号化・変調部１０２は、設定部１０１から受け取る設定情報、トリガー情報及び割当制御情報を符号化及び変調し、得られた変調信号を送信処理部１０４へ出力する。
【００２９】
符号化・変調部１０３は、入力されるデータ信号を符号化及び変調し、得られた変調信号を送信処理部１０４へ出力する。
【００３０】
送信処理部１０４は、符号化・変調部１０２及び符号化・変調部１０３から受け取る変調信号を、設定部１０１から受け取る下り回線リソース割当情報の示すリソースにマッピングすることにより、送信信号を形成する。ここで、送信信号がＯＦＤＭ信号である場合には、変調信号を、設定部１０１から受け取る下り回線リソース割当情報の示すリソースにマッピングし、逆高速フーリエ変換（ＩＦＦＴ）処理を施して時間波形に変換し、ＣＰ（Cyclic Prefix）を付加することにより、ＯＦＤＭ信号が形成される。
【００３１】
送信部１０５は、送信処理部１０４から受け取る送信信号に対して無線処理（アップコンバート、ディジタルアナログ（Ｄ／Ａ）変換など）を施し、アンテナ１０６を介して送信する。
【００３２】
受信部１０７は、アンテナ１０６介して受信した無線信号に対して無線処理（ダウンコンバート、アナログディジタル（Ａ／Ｄ）変換など）を施し、得られた受信信号を受信処理部１０８へ出力する。
【００３３】
受信処理部１０８は、設定部１０１から受け取る上り回線リソース割当情報に基づいて上りデータ信号及びＡＣＫ／ＮＡＣＫ情報がマッピングされているリソースを特定し、受信信号から、特定されたリソースにマッピングされている信号成分を抽出する。
【００３４】
また、受信処理部１０８は、設定部１０１から受け取る設定情報及びトリガー情報に基づいてSRSがマッピングされているリソースを特定する。
【００３５】
具体的には、受信処理部１０８は、「時間周波数リソース設定情報」及びトリガー情報に基づいてSRSがマッピングされている時間周波数リソースを特定する。さらに、受信処理部１０８は、「符号リソース設定情報」と、「符号リソース設定ルールテーブル」とに基づいて、SRSがマッピングされている符号リソース（つまり、SRSの送信に用いられる巡回シフト系列の巡回シフト量）を特定する。
【００３６】
そして、受信処理部１０８は、特定された複数の巡回シフト量にそれぞれ対応する複数の巡回シフト系列（つまり、巡回シフト系列セット）を生成する。そして、受信処理部１０８は、受信信号から、特定された時間周波数リソースにマッピングされている信号成分を抽出すると共に、生成された巡回シフト系列セットを用いて符号多重された複数のSRSを分離する。
【００３７】
ここで、受信信号が空間多重された（つまり、複数のコードワード（ＣＷ）によって送信された）信号である場合には、受信処理部１０８は、受信信号をＣＷ毎に分離する。また、受信信号がＯＦＤＭ信号である場合には、受信処理部１０８は、抽出された信号成分に対してＩＤＦＴ（Inverse Discrete Fourier Transform）処理を施すことにより、時間領域信号に変換する。
【００３８】
こうして受信処理部１０８によって抽出された上りデータ信号及びＡＣＫ／ＮＡＣＫ情報は、データ受信部１０９へ出力され、SRSは、受信品質測定部１１０へ出力される。
【００３９】
データ受信部１０９は、受信処理部１０８から受け取る信号を復号する。これにより、上り回線データ及びＡＣＫ／ＮＡＣＫ情報が得られる。
【００４０】
受信品質測定部１１０は、受信処理部１０８から受け取るSRSに基づいて、各周波数リソースユニットの受信品質を測定し、受信品質情報を出力する。
【００４１】
なお、設定情報（候補リソース設定情報及び送信方法設定情報）は、基地局１００のセルにおいてトラヒック状況が変化しない場合又は平均的な受信品質を測定したい場合には、通知間隔が長い上位レイヤ情報で通知されることが、シグナリングの観点から好ましい。また、これらの各種オフセット量の一部または全てを報知情報として通知することにより、通知量をより軽減することができる。しかしながら、設定情報をトラヒック状況などに応じてより動的に変更する必要がある場合には、これらのオフセット量の一部または全てを通知間隔が短いＰＤＣＣＨで通知することが好ましい。
【００４２】
[端末２００の構成]
図６は、本発明の実施の形態１に係る端末２００の構成を示すブロック図である。ここでは、端末２００は、ＬＴＥ−Ａ端末である。
【００４３】
図６において、端末２００は、アンテナ２０１と、受信部２０２と、受信処理部２０３と、リファレンス信号生成部２０４と、データ信号生成部２０５と、送信制御部２０６と、送信信号形成部２０７と、送信部２０８とを有する。
【００４４】
受信部２０２は、アンテナ２０１を介して受信した無線信号に対して無線処理（ダウンコンバート、アナログディジタル（Ａ／Ｄ）変換など）を施し、得られた受信信号を受信処理部２０３へ出力する。
【００４５】
受信処理部２０３は、受信信号に含まれる設定情報、割当制御情報、トリガー情報、及びデータ信号を抽出する。受信処理部２０３は、設定情報、割当制御情報、及びトリガー情報を送信制御部２０６へ出力する。また、受信処理部２０３は、抽出されたデータ信号に対しては誤り検出処理を行い、誤り検出結果に応じたＡＣＫ／ＮＡＣＫ情報をデータ信号生成部２０５へ出力する。
【００４６】
リファレンス信号生成部２０４は、送信制御部２０６から生成指示信号を受け取ると、リファレンス信号を生成し、送信信号形成部２０７へ出力する。
【００４７】
データ信号生成部２０５は、ＡＣＫ／ＮＡＣＫ情報及び送信データを入力とし、送信制御部２０６から受け取るＭＣＳ情報に基づいてＡＣＫ／ＮＡＣＫ情報及び送信データを符号化及び変調することにより、データ信号を生成する。Non-MIMO送信の場合には、１つのコードワード（ＣＷ）でデータ信号が生成され、MIMO送信の場合には、２つ（または複数）のコードワードでデータ信号が生成される。なお、受信信号がＯＦＤＭ信号の場合には、データ信号生成部２０５は、ＣＰ除去処理、ＦＦＴ処理も行う。
【００４８】
送信制御部２０６は、自端末がSRSをマッピングする候補リソースを設定する。具体的には、送信制御部２０６は、受信処理部２０３から受け取る設定情報（時間周波数リソース設定情報）に基づいて候補時間周波数リソースを特定する。また、送信制御部２０６は、受信処理部２０３から受け取る設定情報（符号リソース設定情報）と、「符号リソース設定ルールテーブル」とに基づいて候補符号リソース（つまり、SRSの送信に用いられる巡回シフト系列の巡回シフト量）を特定する。そして、送信制御部２０６は、受信処理部２０３からトリガー情報を受け取ると、SRSの送信に用いられる巡回シフト系列の巡回シフト量に関する情報を送信信号形成部２０７へ出力する。この端末２００において設定される候補符号リソースについては、後に詳しく説明する。
【００４９】
また、送信制御部２０６は、受信処理部２０３からトリガー情報を受け取ると、実際にSRSをマッピングする「ＲＳマッピングリソース」を候補時間周波数リソースの中で決定し、決定されたＲＳマッピングリソースに関する情報（以下、「ＲＳマッピングリソース情報」と呼ばれることがある）を送信信号形成部２０７へ出力すると共に、リファレンス信号の生成指示信号をリファレンス信号生成部２０４へ出力する。
【００５０】
また、送信制御部２０６は、受信処理部２０３から受け取る割当制御情報に基づいて、データ信号をマッピングする「データマッピングリソース」を特定し、データマッピングリソースに関する情報（以下、「データマッピングリソース情報」と呼ばれることがある）を送信信号形成部２０７と共に、割当制御情報に含まれるＭＣＳ情報をデータ信号生成部２０５へ出力する。
【００５１】
送信信号形成部２０７は、リファレンス信号生成部２０４から受け取るSRSをＲＳマッピング情報の示すＲＳマッピングリソースにマッピングする。そして、送信信号形成部２０７は、送信制御部２０６から受け取る、巡回シフト量に関する情報に対応する巡回シフトを基準系列に対して施すことにより、巡回シフト系列セットを生成し、当該巡回シフト系列セットを、ＲＳマッピングリソースにマッピングされるSRSに対して掛け合わせる。巡回シフト系列セットを構成する複数の巡回シフト系列のそれぞれが掛け合わされたSRSは、対応するアンテナポートから送信される。これにより、複数のSRSは、符号多重される。
【００５２】
また、送信信号形成部２０７は、データ信号生成部２０５から受け取るデータ信号をデータマッピングリソース情報の示すデータマッピングリソースにマッピングする。こうして送信信号が形成される。なお、Non-MIMO送信の場合には、１コードワードのデータ信号が１レイヤに割り当てられ、MIMO送信の場合には、２（または複数の）コードワードのデータ信号が複数のレイヤに割り当てられる。また、送信信号がＯＦＤＭ信号の場合には、送信信号形成部２０７は、データ信号をＤＦＴ（Discrete Fourier transform）処理した後に、データマッピングリソースにマッピングする。また、形成された送信信号に対してＣＰが付加される。
【００５３】
送信部２０８は、送信信号形成部２０７で形成された送信信号に対して無線処理（アップコンバート、ディジタルアナログ（Ｄ／Ａ）変換など）を施してアンテナ２０１を介して送信する。
【００５４】
［基地局１００及び端末２００の動作］
以上の構成を有する基地局１００及び端末２００の動作について説明する。ここでは、特に、設定対象端末２００に対する候補符号リソースの設定処理、端末２００による候補符号リソースを用いたSRSの送信処理、及び、基地局１００による端末２００から送信されたSRSの受信処理について説明する。また、特に、端末２００が２つのアンテナポート又は４つのアンテナポートを用いてSRSを送信する場合について説明する。
【００５５】
＜設定対象端末２００に対する候補符号リソースの設定処理＞
設定部１０１は、設定対象端末２００の候補符号リソースを設定するための候補符号リソース設定情報を生成する。具体的には、設定部１０１は、設定対象端末２００の基準アンテナポートから送信されるSRSに対して用いられる巡回シフト系列のシフト量に関する情報を生成する。ここでは、特に、アンテナポート識別情報がゼロであるアンテナポートについての巡回シフト量が、巡回シフト量に関する情報として用いられる。
【００５６】
こうして生成された候補符号リソース設定情報は、端末２００に対して送信される。
【００５７】
＜端末２００による候補符号リソースを用いたSRSの送信処理＞
送信制御部２０６は、自端末がSRSをマッピングする候補符号リソースを設定する。具体的には、送信制御部２０６は、受信処理部２０３から受け取る符号リソース設定情報と、符号リソース設定ルールテーブルとに基づいて候補符号リソース（つまり、SRSの送信に用いられる巡回シフト系列の巡回シフト量）を特定する。
【００５８】
図７は、本発明の実施の形態１に係る符号リソース設定ルールテーブルを示す図である。符号リソース設定ルールテーブルでは、基準アンテナポートの複数の巡回シフト量候補のそれぞれについて、４つのアンテナポート識別番号と、各アンテナポート識別番号に対応する巡回シフト量とが対応付けられている。巡回シフト量候補の数は、０〜７の８つである。上述の通り、基準アンテナポートは、識別番号０のアンテナポートである。図７において、識別番号０のアンテナポートの巡回シフト量候補０〜３には、基本オフセットパターン“０，４，２，６”が適用されている一方、識別番号０のアンテナポートの巡回シフト量候補４〜７には、基本オフセットパターンと異なるオフセットパターンが適用されている。すなわち、一般化すれば、識別番号０のアンテナポートの巡回シフト量候補Ｘと、巡回シフト量候補Ｘ＋４とには、互いに異なるオフセットパターンが適用される。特に、巡回シフト量候補Ｘには、基本オフセットパターンが適用される。ここで、Ｘは、０以上３以下の整数である。
【００５９】
さらに一般化すると、基準アンテナポートの複数の巡回シフト量候補の数をＮ（Ｎは、８以上で且つ２のべき乗）個とすると、巡回シフト量候補Ｘと、巡回シフト量候補Ｘ＋Ｎ／２とには、互いに異なるオフセットパターンが適用される。ここで、Ｘは、０以上（Ｎ／２−１）以下の整数である。また、Ｘは、（Ｘ−Ｎ／２）ｍｏｄＮとしても良い。
【００６０】
このような複数のオフセットパターンを含む符号リソース設定ルールテーブルが用いられることにより、SRSリソース割当の柔軟性を向上することができる。また、符号リソース設定ルールテーブルを基地局１００と端末２００とで予め共有することにより、基地局１００は基準アンテナポートに対応する巡回シフト量に関する情報だけ端末２００へ送信すれば良いので、シグナリング量の増加を防止することができる。
【００６１】
また、具体的には、２アンテナポート送信では、２つの巡回シフト量から構成されるシフト量ペア『０，４』、『１，５』、『２，６』、及び『３，７』のいずれも使用することができ、４アンテナポート送信では、４つの巡回シフト量から構成されるシフト量グループ『０，２，４，６』及び『１，３，５，７』のいずれも使用することができる。このため、図２に示される対応テーブルを用いた場合と同等の、SRSリソース割当の柔軟性を確保することができる。例えば、端末１が『０，４』、端末２が『１』を使用している場合、図２のテーブルでは、端末３は『３，７』又は『２，６』を選択する以外に選択肢がないが、図７のテーブルでは、端末３にとっては『３，７』、『２，６』、及び『５，６』の選択肢が存在する。
【００６２】
そして、送信信号形成部２０７は、送信制御部２０６から受け取る、巡回シフト量に関する情報に対応する巡回シフトを基準系列に対して施すことにより、巡回シフト系列セットを生成し、当該巡回シフト系列セットを、ＲＳマッピングリソースにマッピングされるSRSに対して掛け合わせる。巡回シフト系列セットを構成する複数の巡回シフト系列のそれぞれが掛け合わされたSRSは、対応するアンテナポートから送信される。これにより、複数のSRSは、符号多重される。
【００６３】
＜基地局１００による端末２００から送信されたSRSの受信処理＞
受信処理部１０８は、「符号リソース設定情報」と、「符号リソース設定ルールテーブル」とに基づいて、SRSがマッピングされている符号リソース（つまり、SRSの送信に用いられる巡回シフト系列の巡回シフト量）を特定する。ここで用いられる「符号リソース設定ルールテーブル」は、端末２００において用いられるものと同じである。
【００６４】
そして、受信処理部１０８は、特定された複数の巡回シフト量にそれぞれ対応する複数の巡回シフト系列（つまり、巡回シフト系列セット）を生成する。そして、受信処理部１０８は、受信信号から、特定された時間周波数リソースにマッピングされている信号成分を抽出すると共に、生成された巡回シフト系列セットを用いて符号多重された複数のSRSを分離する。
【００６５】
以上のように本実施の形態によれば、端末２００において、受信処理部２０３は、Ｌ個のアンテナポートの内の基準アンテナポートから送信されるリファレンス信号のスクランブルに用いられる巡回シフト系列に与えられる、基準シフト量に関する設定情報を受信する。そして、送信制御部２０６は、基準シフト量が取り得る、シフト量０からＮ−１（Ｎは、８以上の偶数）を持つ基準シフト量候補群のそれぞれについて、各アンテナポートに対して巡回シフト量候補が対応付けられた符号リソース設定ルールテーブルと設定情報とに基づいて、各アンテナポートから送信されるリファレンス信号のスクランブルに用いる巡回シフト系列に与えられる、実シフト量を特定する。上記した符号リソース設定ルールテーブルは、シフト量Ｘ（Ｘは、０以上Ｎ／２−１以下の自然数）の基準シフト量候補に対する、各アンテナポートに対応付けられた巡回シフト量候補のオフセット値から成るオフセットパターンと、Ｘ＋Ｎ／２の基準シフト量候補に対する、各アンテナポートに対応付けられた巡回シフト量候補のオフセット値から成るオフセットパターンとが異なる。そして、送信信号形成部２０７は、特定された実シフト量に基づいて巡回シフト系列を形成する。
【００６６】
基地局１００において、設定部１０１は、Ｌ（Ｌは、２以上の自然数）個のアンテナポートの内の基準アンテナポートから送信されるリファレンス信号のスクランブルに用いられる巡回シフト系列に与えられる、基準シフト量に関する設定情報を生成する。そして、生成された設定情報は、送信処理部１０４を介して端末２００へ送信される。また、受信処理部１０８は、基準シフト量が取り得る、シフト量０からＮ−１（Ｎは、８以上の偶数）を持つ基準シフト量候補群のそれぞれについて、各アンテナポートに対して巡回シフト量候補が対応付けられた符号リソース設定ルールテーブルと設定情報とに基づいて、各アンテナポートから送信されるリファレンス信号のスクランブルに用いる巡回シフト系列に与えられる、実シフト量を特定し、特定された実シフト量を用いて前記リファレンス信号を受信する。上記した符号リソース設定ルールテーブルでは、シフト量Ｘ（Ｘは、０以上Ｎ／２−１以下の自然数）の基準シフト量候補に対する、各アンテナポートに対応付けられた巡回シフト量候補のオフセット値から成るオフセットパターンと、Ｘ＋Ｎ／２の基準シフト量候補に対する、各アンテナポートに対応付けられた巡回シフト量候補のオフセット値から成るオフセットパターンとが異なる。
【００６７】
[実施の形態２]
実施の形態２は、「符号リソース設定ルールテーブル」のバリエーションに関する。
【００６８】
図８は、本発明の実施の形態２に係る符号リソース設定ルールテーブルを示す図である。
【００６９】
図８において、識別番号０のアンテナポートの巡回シフト量候補０〜３には、基本オフセットパターン“０，４，２，６”が適用されている一方、識別番号０のアンテナポートの巡回シフト量候補４〜７には、基本オフセットパターンと異なるオフセットパターンが適用されている。すなわち、一般化すれば、識別番号０のアンテナポートの巡回シフト量候補Ｘと、巡回シフト量候補Ｘ＋４とには、互いに異なるオフセットパターンが適用される。特に、巡回シフト量候補Ｘには、基本オフセットパターンが適用される一方、巡回シフト量候補Ｘ＋４には、オフセットパターン“０，１，２，３”又は“０，−１，−２，−３”が適用される。ここで、Ｘは、０以上３以下の整数である。
【００７０】
すなわち、オフセットパターン“０，１，２，３”又は“０，−１，−２，−３”が用いられることにより、巡回シフト量セットを構成する４つの巡回シフト量は、連続する値となる。
【００７１】
さらに、図８において、基本オフセットパターン以外のオフセットパターンが適用される、巡回シフト量候補Ｘ＋４については、Ｘ＋４が偶数の場合には、“０，１，２，３”及び“０，−１，−２，−３”の内の一方が適用され、奇数の場合には、他方が適用される。
【００７２】
ところで、複数の端末２００がSRSを送信する場合、端末間で生じる送信タイミングずれによって、系列間干渉の発生箇所が多くなる。例えば、端末２００−１がシフト量グループ『０，４，２，６』、端末２００−２がシフト量グループ『１，５，３，７』を使用する場合、端末２００−２の送信タイミングがずれると、端末２００−１の全ての巡回シフト量『０，４，２，６』の巡回シフト系列に対して、系列間干渉が与えられる（図９参照）。
【００７３】
これに対して、上述の通り、巡回シフト量候補Ｘ＋４について、Ｘ＋４が偶数の場合には、“０，１，２，３”及び“０，−１，−２，−３”の内の一方を適用し、奇数の場合には、他方を適用することにより、送信タイミングがずれる場合でも系列間干渉が発生する箇所を少なくできる。例えば、端末２００−１がシフト量グループ『４，５，６，７』、端末２００−２がシフト量グループ『０，１，２，３』を使用する場合、端末２００−２の送信タイミングがずれても端末２００−２の１ヶ所の巡回シフト量『４』のみに系列間干渉が発生する(図１０参照)。
【００７４】
なお、シフト量グループの構成要素が連続していれば、各構成要素がどのアンテナポートに対応づけられるかは、特に限定されるものではない。例えば、図１１に示すように、識別番号１のアンテナポート及び識別番号２のアンテナポートで使用する巡回シフト量が不連続であっても、シフト量グループの構成要素が連続していれば良い。こうすることで、SRSに使用される巡回シフト量の偏りが少ない符号リソース設定ルールテーブルを作成することができる。
【００７５】
[実施の形態３]
実施の形態３は、「符号リソース設定ルールテーブル」のバリエーションに関する。
【００７６】
図１２は、本発明の実施の形態３に係る符号リソース設定ルールテーブルを示す図である。
【００７７】
実施の形態３では、他の実施の形態と同様に、識別番号０のアンテナポートの巡回シフト量候補Ｘと、巡回シフト量候補Ｘ＋４とには、互いに異なるオフセットパターンが適用される。さらに、実施の形態３では、巡回シフト量候補２Ｍ（Ｍ＝０，１，・・・）と巡回シフト量候補２Ｍ＋１とには、互いに異なるオフセットパターンが適用される。巡回シフト量候補２Ｍ及び巡回シフト量候補２Ｍ＋１の一方には、基本オフセットパターンが適用される一方、他方には、オフセットパターン“０，１，２，３”又は“０，−１，−２，−３”が適用される（図１２参照）。
【００７８】
ここで、図１１に示した符号リソース設定ルールテーブルでは、基本オフセットパターン以外のオフセットパターンが適用される巡回シフト量グループに着目すると、２アンテナ送信で利用される識別番号０，１に対応する巡回シフト量ペアは、『４，３』『５，６』『６，５』『７，０』に限定され、巡回シフト量１，２は存在しない。すなわち、巡回シフト量１，２を割り当てることができない。
【００７９】
これに対して、図１２のように、巡回シフト量候補２Ｍ及び巡回シフト量候補２Ｍ＋１の一方には、基本オフセットパターンが適用される一方、他方には、オフセットパターン“０，１，２，３”又は“０，−１，−２，−３”が適用されることにより、識別番号１のアンテナポートに適用される巡回シフト量の偏りを軽減することができる。具体的には、図１２においては、基本オフセットパターン以外のオフセットパターンが適用される巡回シフト量グループに着目すると、２アンテナ送信で利用される識別番号０，１に対応する巡回シフト量ペアは、『４，５』、『１，０』、『６，７』、『３，２』となり、巡回シフト量の偏りが分散されている。
【００８０】
なお、図１２には、図１１に示した符号リソース設定ルールテーブルを元に、巡回シフト量候補２Ｍ（Ｍ＝０，１，・・・）と巡回シフト量候補２Ｍ＋１とに互いに異なるオフセットパターンを適用することによって得られる符号リソース設定ルールテーブルを一例として示した。すなわち、本明細書に示される図１１以外の他の符号リソース設定ルールテーブルにおいて、巡回シフト量候補２Ｍ（Ｍ＝０，１，・・・）と巡回シフト量候補２Ｍ＋１とに互いに異なるオフセットパターンを適用しても良い。
【００８１】
また、巡回シフト量候補２Ｍ（Ｍ＝０，１，・・・）と巡回シフト量候補２Ｍ＋１とに互いに異なるオフセットパターンを適用した状態において、基本オフセットパターン以外のオフセットパターンに対応付けられる、基準アンテナポートの巡回シフト量候補に連続する２つの巡回オフセット量候補が存在する場合には、一方（例えば、値が小さい方）にオフセットパターン“０，１，２，３”を対応づける一方、他方(例えば、値が大きい方)にオフセットパターン“０，−１，−２，−３”を対応づけても良い。図１３では、識別番号０のアンテナポートの巡回シフト量３に対しては、オフセットパターン“０，１，２，３”が対応付けられている一方、識別番号０のアンテナポートの巡回シフト量４に対しては、オフセットパターン“０，−１，−２，−３”が対応付けられている。
【００８２】
こうすることで、２ポートアンテナ送信及び４ポートアンテナ送信のいずれの場合でも、巡回シフト量を分散させて偏りを防止することができる。この結果、SRSリソース割当の柔軟性を向上することができる。
【００８３】
[実施の形態４]
実施の形態４は、「符号リソース設定ルールテーブル」のバリエーションに関する。
【００８４】
図１４は、本発明の実施の形態４に係る符号リソース設定ルールテーブルを示す図である。
【００８５】
図１４において、識別番号０のアンテナポートの巡回シフト量候補０〜３には、基本オフセットパターン“０，４，２，６”が適用されている一方、識別番号０のアンテナポートの巡回シフト量候補４〜７には、基本オフセットパターンと異なるオフセットパターンが適用されている。すなわち、一般化すれば、識別番号０のアンテナポートの巡回シフト量候補Ｘと、巡回シフト量候補Ｘ＋４とには、互いに異なるオフセットパターンが適用される。特に、巡回シフト量候補Ｘには、基本オフセットパターンが適用される一方、巡回シフト量候補Ｘ＋４には、オフセットパターン“０，４，１，５”又はオフセットパターン“０，４，３，７”が適用される。すなわち、識別番号０のアンテナポートの巡回シフト量候補４〜７に対して適用されるオフセットパターン群においては、識別番号０のアンテナポートと識別番号１のアンテナポートとに適用される巡回シフト量の差、及び、識別番号２のアンテナポートと識別番号３のアンテナポートとに適用される巡回シフト量の差が４である点について、全てのオフセットパターンで共通する。これに対して、識別番号０のアンテナポートの巡回シフト量候補４〜７に対して適用されるオフセットパターン群においては、識別番号１のアンテナポートと識別番号２のアンテナポートとに適用される巡回シフト量の差には、複数の値が存在する。
【００８６】
ここで、端末２００に対しては、４アンテナポート送信よりも２アンテナポート送信の方が適用される可能性が高い。図１５に示すように、２アンテナポート送信に適用されるオフセットパターンを“０，４”とすると、端末２００−１〜４（図１５では、ＵＥ＃１〜４と表示）は、巡回シフト量ペア『０，４』，『２，６』，『１，５』，『３，７』をそれぞれ使用する。
【００８７】
この状態で、２つの端末２００がSRS送信を終了することを想定する。例えば、ＵＥ＃１とＵＥ＃２がSRS送信を終了する場合、巡回シフト量セット『０，４，２，６』が空きとなる。また、ＵＥ＃１とＵＥ＃３がSRS送信を終了する場合、巡回シフト量セット『０，４，１，５』が空きとなる。また、ＵＥ＃１とＵＥ＃４がSRS送信を終了する場合、巡回シフト量セット『０，４，３，７』が空きとなる。また、ＵＥ＃２とＵＥ＃４がSRS送信を終了する場合、巡回シフト量セット『２，６，３，７』が空きとなる。また、ＵＥ＃３とＵＥ＃４がSRS送信を終了する場合、巡回シフト量セット『１，５，３，７』が空きとなる。これらの空きCSに４アンテナポートのSRSを柔軟に割り当てることを想定すると、オフセット量セット『０，４，２，６』，『０，４，１，５』，『０，４，３，７』が有効である。
【００８８】
従って、ここでは、巡回シフト量候補Ｘには、基本オフセットパターンを適用する一方、巡回シフト量候補Ｘ＋４には、オフセットパターン“０，４，１，５”又はオフセットパターン“０，４，３，７”を適用する。これにより、４ＣＳ間隔の空きＣＳが２個存在する場合であっても、４アンテナポート送信におけるSRSリソース割当を容易にすることができる。例えば、空きCSが『０，４，１，５』である場合でも、４アンテナポート送信のSRSリソースを割り当てることができる。
【００８９】
[実施の形態５]
実施の形態５は、「符号リソース設定ルールテーブル」のバリエーションに関する。
【００９０】
図１６は、本発明の実施の形態５に係る符号リソース設定ルールテーブルを示す図である。
【００９１】
図１６において、識別番号０のアンテナポートの巡回シフト量候補０〜３には、基本オフセットパターン“０，４，２，６”が適用されている一方、識別番号０のアンテナポートの巡回シフト量候補４〜７には、基本オフセットパターンと異なるオフセットパターンが適用されている。すなわち、一般化すれば、識別番号０のアンテナポートの巡回シフト量候補Ｘと、巡回シフト量候補Ｘ＋４とには、互いに異なるオフセットパターンが適用される。特に、巡回シフト量候補Ｘには、基本オフセットパターンが適用される一方、巡回シフト量候補Ｘ＋４には、オフセットパターン“０，３，Ａ，Ｂ”又は“０，５，Ａ，Ｂ”が適用される。ここで、ＡとＢとは、異なる値である。さらに、ＡとＢは、オフセットパターン“０，３，Ａ，Ｂ”の場合には、０〜７の内の０，３以外の自然数であり、オフセットパターン“０，５，Ａ，Ｂ”の場合には、０〜７の内の０，５以外の自然数である。
【００９２】
ここで、実施の形態４では、２アンテナポート送信の場合に受信側においてSRSを高精度に分離できるように、識別番号０のアンテナポートと識別番号１のアンテナポートとの間で、適用される巡回シフト量の差を４として設計されている。しかしながら、２アンテナポート送信の場合にSRSリソース割当の柔軟性を重視する場合には、識別番号０のアンテナポートと識別番号１のアンテナポートとの間で、適用される巡回シフト量の差分値が、複数用意されていることが好ましい。そこで、本実施の形態のように、例えば、２アンテナポート送信の場合に受信側においてSRSを高精度に分離できるように、識別番号０のアンテナポートと識別番号１のアンテナポートとの間で、適用される巡回シフト量の差を、４の次に分離性能が高い、３又は５とする。これにより、分離精度の低下を抑えつつ、SRSリソース割当の柔軟性も改善することができる。
【００９３】
[実施の形態６]
実施の形態６は、「符号リソース設定ルールテーブル」のバリエーションに関する。
【００９４】
図１７は、本発明の実施の形態６に係る符号リソース設定ルールテーブルを示す図である。
【００９５】
図１７において、識別番号０のアンテナポートの巡回シフト量候補０〜３には、基本オフセットパターン“０，４，２，６”が適用されている一方、識別番号０のアンテナポートの巡回シフト量候補４〜７には、基本オフセットパターンと異なるオフセットパターンが適用されている。すなわち、一般化すれば、識別番号０のアンテナポートの巡回シフト量候補Ｘと、巡回シフト量候補Ｘ＋４とには、互いに異なるオフセットパターンが適用される。特に、巡回シフト量候補Ｘには、基本オフセットパターンが適用される一方、巡回シフト量候補Ｘ＋４には、オフセットパターン“０，２，Ａ，Ｂ”又は“０，６，Ａ，Ｂ”が適用される。ここで、さらに、ＡとＢは、オフセットパターン“０，２，Ａ，Ｂ”の場合には、０〜７の内の０，２以外の自然数であり、オフセットパターン“０，６，Ａ，Ｂ”の場合には、０〜７の内の０，６以外の自然数である。
【００９６】
ここで、実施の形態５では、SRSの高い分離性能を維持しつつ、SRSリソース割当の柔軟性を改善するために、識別番号０のアンテナポートに適用される巡回シフト量と識別番号１のアンテナポートに適用される巡回シフト量との差分値として、３又は５を追加した。しかしながら、識別番号０のアンテナポートに適用される巡回シフト量と識別番号１のアンテナポートに適用される巡回シフト量との差分値を３又は５とする場合、巡回シフト量セット『０，４，２，６』と組み合せるとSRSリソース割当が複雑になるケースがある。例えば、巡回シフト量セット『０，４，２，６』を割り当てられた端末２００が４アンテナポートでのSRS送信を終了する場合、巡回シフト量セット『０，４，２，６』のリソースが空きとなるが、識別番号０のアンテナポートに適用される巡回シフト量と識別番号１のアンテナポートに適用される巡回シフト量との差分値が３又は５である、巡回シフト量セットによっては、SRSリソースを割り当てることができない。そこで、本実施の形態のように、SRSリソース割当の柔軟性を重視する場合には、識別番号０のアンテナポートに適用される巡回シフト量と識別番号１のアンテナポートに適用される巡回シフト量との差分値として、２又は６を追加することが好ましい。
【００９７】
なお、巡回シフト量候補Ｘには、基本オフセットパターンを適用し、巡回シフト量候補Ｘ＋４には、オフセットパターン“０，２，４，６”を適用することにより、発生確率の高い２送信アンテナポート送信では、SRSリソース割当の柔軟性を確保できると共に、発生確率の比較的低い４送信アンテナポート送信では、アンテナポート間でCS間隔を最大にできるのでSRSの分離精度を最も高くできる。
【００９８】
[実施の形態７]
実施の形態７は、「符号リソース設定ルールテーブル」のバリエーションに関する。
【００９９】
図１８は、本発明の実施の形態７に係る符号リソース設定ルールテーブルを示す図である。
【０１００】
図１８において、識別番号０のアンテナポートの巡回シフト量候補Ｘと、巡回シフト量候補Ｘ＋４とには、互いに異なるオフセットパターンが適用される。さらに、識別番号０のアンテナポートの、巡回シフト量が偶数である巡回シフト量候補群（つまり、０，２，４，６）には、互いに異なるオフセットパターンが適用される。そして、識別番号０のアンテナポートの、巡回シフト量が偶数である巡回シフト量候補群の１つの巡回シフト量候補には、基本オフセットパターン“０，４，２，６”が適用される。図１８では、特に、識別番号０のアンテナポートの巡回シフト量候補０に、基本オフセットパターン“０，４，２，６”が対応付けられている。そして、識別番号０のアンテナポートの巡回シフト量候補２には、オフセットパターン“０，１，２，３”が対応付けられ、識別番号０のアンテナポートの巡回シフト量候補４には、オフセットパターン“０，２，４，６”が対応付けられ、識別番号０のアンテナポートの巡回シフト量候補６には、オフセットパターン“０，−１，−２，−３”が対応付けられている。
【０１０１】
ここで、図２に示した従来の対応テーブルでは、２アンテナポート送信を想定する場合には、識別番号０のアンテナポートの巡回シフト量候補がＸか又はＸ＋２かによって、識別番号０のアンテナポートに対応付けられた巡回シフト量と識別番号１のアンテナポートに対応付けられた巡回シフト量とのペアが、互いに異なっている。しかしながら、４アンテナポート送信のみを想定する場合には、識別番号０のアンテナポートの、巡回シフト量が偶数である巡回シフト量候補群（つまり、０，２，４，６）は、巡回シフト量セットを構成する巡回シフト量が同一となる（図１９参照）。
【０１０２】
これに対して、本実施の形態では、識別番号０のアンテナポートの巡回シフト量候補Ｘと巡回シフト量候補Ｘ＋４とに、互いに異なるオフセットパターンを対応付けると共に、さらに、識別番号０のアンテナポートの、巡回シフト量が偶数である巡回シフト量候補群（つまり、０，２，４，６）にも、互いに異なるオフセットパターンを対応付ける。こうすることで、巡回シフト量の通知のためのシグナリング量を増加させることなく、SRSリソース割当の柔軟性を向上することができる。
【０１０３】
[実施の形態８]
実施の形態８は、実施の形態１〜７と異なり、周波数領域内における、SRSリソース割当の柔軟性の向上を目指すものである。実施の形態８の基地局及び端末は、実施の形態１の基地局１００及び端末２００と基本構成が共通するので、図５，６を援用して説明する。
【０１０４】
実施の形態８の基地局１００において、設定部１０１は、設定対象端末２００の「候補リソース」を設定するための「候補リソース設定情報」を生成する。候補リソース設定情報は、「時間リソース設定情報」と、「符号周波数リソース設定情報」とに分けることができる。
【０１０５】
受信処理部１０８は、設定部１０１から受け取る設定情報及びトリガー情報に基づいてSRSがマッピングされているリソースを特定する。
【０１０６】
具体的には、受信処理部１０８は、「時間リソース設定情報」及びトリガー情報に基づいてSRSがマッピングされている時間リソースを特定する。さらに、受信処理部１０８は、「符号周波数リソース設定情報」と、「符号周波数リソース設定ルールテーブル」とに基づいて、SRSがマッピングされている符号周波数リソース（つまり、SRSの送信に用いられる巡回シフト系列の巡回シフト量及び周波数）を特定する。
【０１０７】
そして、受信処理部１０８は、特定された複数の巡回シフト量にそれぞれ対応する複数の巡回シフト系列（つまり、巡回シフト系列セット）を生成する。そして、受信処理部１０８は、受信信号から、特定された時間周波数リソースにマッピングされている信号成分を抽出すると共に、生成された巡回シフト系列セットを用いて符号多重された複数のSRSを分離する。
【０１０８】
実施の形態８の端末２００において、送信制御部２０６は、自端末がSRSをマッピングする候補リソースを設定する。
【０１０９】
具体的には、送信制御部２０６は、受信処理部２０３から受け取る設定情報（時間リソース設定情報）に基づいて候補時間リソースを特定する。
【０１１０】
また、送信制御部２０６は、受信処理部２０３から受け取る設定情報（符号周波数リソース設定情報）と、「符号周波数リソース設定ルールテーブル」とに基づいて候補符号周波数リソース（つまり、SRSの送信に用いられる巡回シフト系列の巡回シフト量及び周波数）を特定する。そして、送信制御部２０６は、受信処理部２０３からトリガー情報を受け取ると、SRSの送信に用いられる、巡回シフト系列の巡回シフト量に関する情報及び周波数を送信信号形成部２０７へ出力する。この端末２００において設定される候補周波数リソースについては、後に詳しく説明する。
【０１１１】
送信信号形成部２０７は、リファレンス信号生成部２０４から受け取るSRSをＲＳマッピング情報の示すＲＳマッピングリソースにマッピングする。そして、送信信号形成部２０７は、送信制御部２０６から受け取る、巡回シフト量に関する情報に対応する巡回シフトを基準系列に対して施すことにより、巡回シフト系列セットを生成し、当該巡回シフト系列セットを、ＲＳマッピングリソースにマッピングされるSRSに対して掛け合わせる。巡回シフト系列セットを構成する複数の巡回シフト系列のそれぞれが掛け合わされたSRSは、対応するアンテナポートから送信される。これにより、複数のSRSは、符号多重される。
【０１１２】
以上の構成を有する、実施の形態８の基地局１００及び端末２００の動作について説明する。ここでは、特に、設定対象端末２００に対する候補符号リソース及び候補周波数リソースの設定処理、端末２００による候補符号リソース及び候補周波数リソースを用いたSRSの送信処理、及び、基地局１００による端末２００から送信されたSRSの受信処理について説明する。また、特に、端末２００が２つのアンテナポート又は４つのアンテナポートを用いてSRSを送信する場合について説明する。
【０１１３】
＜設定対象端末２００に対する候補符号リソースの設定処理＞
設定部１０１は、設定対象端末２００の候補符号リソース及び候補周波数リソースを設定するための候補符号周波数リソース設定情報を生成する。具体的には、設定部１０１は、設定対象端末２００の基準アンテナポートから送信されるSRSに対して用いられる巡回シフト系列のシフト量に関する情報を生成する。ここでは、特に、アンテナポート識別情報がゼロであるアンテナポートについての巡回シフト量が、巡回シフト量に関する情報として用いられる。
【０１１４】
こうして生成された候補符号周波数リソース設定情報は、端末２００に対して送信される。
【０１１５】
＜端末２００による候補符号周波数リソースを用いたSRSの送信処理＞
送信制御部２０６は、自端末がSRSをマッピングする候補符号周波数リソースを設定する。具体的には、送信制御部２０６は、受信処理部２０３から受け取る符号周波数リソース設定情報と、符号周波数リソース設定ルールテーブルとに基づいて候補符号周波数リソース（つまり、SRSの送信に用いられる巡回シフト系列の巡回シフト量及び周波数）を特定する。
【０１１６】
図２０は、本発明の実施の形態８に係る符号周波数リソース設定ルールテーブルを示す図である。符号周波数リソース設定ルールテーブルでは、基準アンテナポートの複数の巡回シフト量候補のそれぞれについて、４つのアンテナポート識別番号と、各アンテナポート識別番号に対応する巡回シフト量及び周波数とが対応付けられている。巡回シフト量候補の数は、０〜７の８つである。図２０において、符号周波数リソース設定ルールテーブルでは、識別番号０のアンテナポートの巡回シフト量候補０〜７の全てに対して、固定のオフセットパターン“０，４，２，６”が適用されている。また、図２０において、識別番号０のアンテナポートの巡回シフト量候補０〜３では、全てのアンテナポートに対して１つの周波数帯域（同図では、周波数１）が対応付けられる一方、識別番号０のアンテナポートの巡回シフト量候補４〜７には、識別番号０及び識別番号１のアンテナポートに対して１つの周波数帯域（同図では、周波数１）が対応付けられると共に、識別番号２及び識別番号３のアンテナポートに対して１つの周波数帯域（同図では、周波数２）が対応付けられる。すなわち、一般化すれば、識別番号０のアンテナポートの巡回シフト量候補Ｘと、巡回シフト量候補Ｘ＋４とには、互いに異なる周波数パターンが適用される。ここで、Ｘは、０以上３以下の整数である。
【０１１７】
図２１は、本発明の実施の形態８に係る符号周波数リソース設定ルールテーブルの他の例を示す図である。図２１においては、識別番号０のアンテナポートの巡回シフト量候補０〜３では、全てのアンテナポートに対して１つの周波数帯域（同図では、周波数１）が対応付けられる一方、識別番号０のアンテナポートの巡回シフト量候補４〜７には、識別番号０及び識別番号２のアンテナポートに対して１つの周波数帯域（同図では、周波数１）が対応付けられると共に、識別番号１及び識別番号３のアンテナポートに対して１つの周波数帯域（同図では、周波数２）が対応付けられる。なお、上記した周波数１及び周波数２のそれぞれは、連続するサブキャリア群からなるサブキャリアブロックとしても良いし、飛び飛びに配置されたサブキャリア群からなるサブキャリアグループ（例えば、LTEにおけるComb）としても良い。具体的には、周波数１をComb#0、周波数２をComb#1と置き換えてもよい。すなわち、識別番号０のアンテナポートの巡回シフト量候補０〜３では１つのCombのみが使用され、識別番号０のアンテナポートの巡回シフト量候補４〜７では複数のCombのみが使用されるとしてもよい。なお、固定のオフセットパターン“０，４，２，６”は“０，２，４，６”など順番が異なっていてもよい。また、図２０、図２１等のテーブルを用いなくても数式などを用いることで同様の処理が実施できればよい。例えば、図の代わりに以下の数式を用いてもよい。
【０１１８】
図２０は式（１）により表現することもできる。
【数１】
0006008340.tif 000002
【０１１９】
同様に、図２１は式（２）により表現することもできる。
【数２】
0006008340.tif 000003
【０１２０】
また、図２１をアンテナポート数２、図２０をアンテナポート数４で使用する場合は、式（３）となる。
【数３】
0006008340.tif 000004
【０１２１】
ここで、実施の形態１乃至７では、識別番号０のアンテナポートの巡回シフト量候補Ｘと、巡回シフト量候補Ｘ＋４とには、互いに異なるオフセットパターンが対応づけられている。しかしながら、SRSリソース割当の柔軟性を向上する方法は、これに限定されるものではない。すなわち、上述の通り、識別番号０のアンテナポートの巡回シフト量候補Ｘと、巡回シフト量候補Ｘ＋４とには、互いに異なる周波数パターンを対応づけることによっても、SRSリソース割当の柔軟性を向上することができる。
【０１２２】
なお、周波数１及び周波数２は、周波数領域におけるオフセット量と捕らえることもできる。例えば、基地局１００がComb#0を示す情報及び識別番号０のアンテナポートの巡回シフト量候補０を通知する場合には、端末２００は、SRSをComb＃０でのみ送信する一方、基地局１００がComb#1を示す情報及び識別番号０のアンテナポートの巡回シフト量０を通知する場合には、端末２００は、SRSをComb#1でのみ送信する。
【０１２３】
[他の実施の形態]
（１）上記各実施の形態においては、基準アンテナポートの複数の巡回シフト量候補の内の一部をトリガー情報（つまり、PDCCHにおけるトリガー用ビット）と対応付けても良い。例えば、設定情報により、PDCCHのトリガー情報１に基準アンテナポートの巡回シフト量候補０を対応づけ、PDCCHのトリガー情報２に基準アンテナポートの巡回シフト量候補４を対応づける。そして、基地局１００がPDCCHのトリガー情報１を端末２００に対して通知すれば、端末２００は、基準アンテナポートの巡回シフト量候補０を対応づけられた巡回シフト量セットを用いてSRSを送信し、基地局１００がPDCCHのトリガー情報２を端末２００に対して通知すれば、端末２００は、基準アンテナポートの巡回シフト量候補４を対応づけられた巡回シフト量セットを用いてSRSを送信する。
【０１２４】
（２）上記各実施の形態で取り上げたテーブルは、２アンテナポート送信の場合のみ、４アンテナポート送信の場合のみ、２アンテナポート送信及び４アンテナポート送信の両方のいずれの場合にも適用することができる。また、４アンテナポート送信の場合と２アンテナポート送信の場合とで、異なるテーブルが用いられても良い。
【０１２５】
（３）上記各実施の形態では、１つのアンテナポートを使用する場合と、２つまたは４つのアンテナポートを使用する場合とで、識別番号０のアンテナポートの巡回シフト量が一致することを前提に説明を行った。しかしながらこれに限定されるものではなく、１アンテナポートを使用する場合と、２または４アンテナポートを使用する場合とで、識別番号０のアンテナポートと巡回シフト量との対応関係を異ならせても良い。
【０１２６】
（４）上記各実施の形態では、SRS(例えば、DA-SRS、P-SRS)について説明を行ったが、本発明はこれに限定されるものではなく、巡回シフト系列で符多重するものであれば適用できる。
【０１２７】
（５）上記各実施の形態における、アンテナポート（antenna port）とは、１本または複数の物理アンテナから構成される論理的なアンテナ（アンテナグループ）を指す。すなわち、アンテナポートは必ずしも１本の物理アンテナを指すとは限らず、複数のアンテナから構成されるアレイアンテナ等を指すことがある。例えば、アンテナポートが何本の物理アンテナから構成されるかは規定されず、端末局が基準信号（Reference signal）を送信できる最小単位として規定される。また、アンテナポートはプリコーディングベクトル（Precoding vector）の重み付けを乗算する最小単位として規定されることもある。
【０１２８】
（６）上記各実施の形態では、通知ビット数が３ビットであり、巡回シフト量候補が０〜７である場合を前提として説明を行ったが、本発明はこれに限定されるものではない。例えば、通知ビット数が４ビットであり、巡回シフト量候補が０〜１５であっても良い。この場合に、オフセット量セット『０，４，２，６』を『０，８，４，１２』などのように、オフセット量をＭ倍（４ビットの場合は、Ｍ＝２）にしても良い。また、識別番号１〜３のアンテナポートの巡回シフト量も図中の値に限定するものではない。例えば、オフセット量セット『０，２，４，６』としてもよい。
【０１２９】
（７）上記各実施の形態では、本発明をハードウェアで構成する場合を例にとって説明したが、本発明はハードウェアとの連係においてソフトウェアでも実現することも可能である。
【０１３０】
また、上記実施の形態の説明に用いた各機能ブロックは、典型的には集積回路であるＬＳＩとして実現される。これらは個別に１チップ化されてもよいし、一部または全てを含むように１チップ化されてもよい。ここでは、ＬＳＩとしたが、集積度の違いにより、ＩＣ、システムＬＳＩ、スーパーＬＳＩ、ウルトラＬＳＩと呼称されることもある。
【０１３１】
また、集積回路化の手法はＬＳＩに限るものではなく、専用回路または汎用プロセッサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサーを利用してもよい。
【０１３２】
さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１３３】
２０１１年１月７日出願の特願２０１１−００１８２９および２０１１年１月２０日出願の特願２０１１−００９８７０の日本出願に含まれる明細書、図面および要約書の開示内容は、すべて本願に援用される。
【産業上の利用可能性】
【０１３４】
本発明の通信装置、通信方法、及び集積回路は、巡回シフト量の通知のためのシグナリング量を増加させることなく、SRSリソース割当の柔軟性を向上するものとして有用である。
【符号の説明】
【０１３５】
１００  基地局
１０１  設定部
１０２，１０３  符号化・変調部
１０４  送信処理部
１０５，２０８  送信部
１０６，２０１  アンテナ
１０７，２０２  受信部
１０８，２０３  受信処理部
１０９  データ受信部
１１０  受信品質測定部
２００  端末
２０４  リファレンス信号生成部
２０５  データ信号生成部
２０６  送信制御部
２０７  送信信号形成部
【図１】
0006008340.tif 000005
【図２】
0006008340.tif 000006
【図３】
0006008340.tif 000007
【図４】
0006008340.tif 000008
【図５】
0006008340.tif 000009
【図６】
0006008340.tif 000010
【図７】
0006008340.tif 000011
【図８】
0006008340.tif 000012
【図９】
0006008340.tif 000013
【図１０】
0006008340.tif 000014
【図１１】
0006008340.tif 000015
【図１２】
0006008340.tif 000016
【図１３】
0006008340.tif 000017
【図１４】
0006008340.tif 000018
【図１５】
0006008340.tif 000019
【図１６】
0006008340.tif 000020
【図１７】
0006008340.tif 000021
【図１８】
0006008340.tif 000022
【図１９】
0006008340.tif 000023
【図２０】
0006008340.tif 000024
【図２１】
0006008340.tif 000025